(57)【要約】  本発明の実施形態は、ネットワーク側デバイスが、DPCCHが送信される時を知り、DPCCHが周期的に送信されることを実現するための、通信分野に関するものである、ユーザ機器、ネットワーク側デバイス、およびDPCCHを送信するための方法を開示する。本発明の実施形態で提供される解決策は、ユーザ機器を用いてネットワーク側デバイスによって送信された指示情報を受信するステップと、指示情報に従ってDC−HSUPAの第2のキャリアをアクティブ化するステップと、アップリンクDTXパラメータを取得するステップと、指示情報およびアップリンクDTXパラメータに従ってDC−HSUPAの第2のキャリア上でアップリンクDPCCHを周期的に送信するステップと、を含む。本発明はDPCCHを送信するのに用いられる。
2017511051.tif 000002
【特許請求の範囲】
【請求項１】
ネットワーク側デバイスによって送信された指示情報を受信するように構成された、受信部と、
前記指示情報に従って、デュアルセル高速アップリンク・パケット・アクセスDC−HSUPAの第2のキャリアをアクティブ化するように構成された、アクティブ化部と、
アップリンク不連続送信DTXパラメータを取得するように構成された、取得部と、
前記指示情報および前記アップリンクDTXパラメータに従って前記DC−HSUPAの前記第2のキャリア上でアップリンク専用物理制御チャネルDPCCHを周期的に送信するように構成された、送信部と、
を含む、ユーザ機器。
【請求項２】
前記指示情報は、
無線リソース制御RRC構成情報であって、前記ユーザ機器UE  DC−HSUPAの第2のキャリアの周波数チャネル番号を含み、もしくは、前記UE  DC−HSUPAの前記第2のキャリアの前記周波数チャネル番号および前記アップリンクDTXパラメータを含む、RRC構成情報、または、
ダウンリンク高速共有制御チャネルHS−SCCHコマンド、
を含む、請求項1に記載のユーザ機器。
【請求項３】
前記送信部は、
前記指示情報が受信された時点の後で、前記アップリンクDTXパラメータによって指示される周期およびオフセットを用いて前記DC−HSUPAの前記第2のキャリア上でアップリンクDPCCHを周期的に送信する、
ように特に構成されている、請求項1または2に記載のユーザ機器。
【請求項４】
前記指示情報は、前記UEが前記アップリンクDPCCHを送信する時点を含む、請求項1から3のいずれか一項に記載のユーザ機器。
【請求項５】
前記送信部は、
前記指示情報に含まれる前記時点の後で、前記アップリンクDTXパラメータによって指示される前記周期および前記オフセットを用いて前記DC−HSUPAの前記第2のキャリア上でアップリンクDPCCHを周期的に送信する、
ように特に構成されている、請求項4に記載のユーザ機器。
【請求項６】
前記送信部は、
前記UEのプライマリキャリアのダウンリンク専用チャネルが確立された後で、前記指示情報および前記アップリンクDTXパラメータに従って前記DC−HSUPAの前記第2のキャリア上でアップリンクDPCCHを周期的に送信し、
または、
前記UEのプライマリキャリアのアップリンクDPCCHがRRCによって指定される時間にわたって連続して送信された後で、前記指示情報および前記アップリンクDTXパラメータに従って前記DC−HSUPAの前記第2のキャリア上でアップリンクDPCCHを周期的に送信する、
ように特に構成されている、請求項1から5のいずれか一項に記載のユーザ機器。
【請求項７】
前記ユーザ機器は、
アップリンクDPCCHが送信される時に対応するダウンリンクDPCCHまたは対応するダウンリンク部分専用物理チャネルF−DPCHを傍受するように構成された傍受部であって、前記ダウンリンクDPCCHまたは前記ダウンリンクF−DPCHは前記アップリンクDPCCHのための電力調整指示を含む、傍受部と、
前記電力調整指示に従って前記アップリンクDPCCHの送信電力を調整するように構成された、調整部と、
をさらに含む、請求項1から6のいずれか一項に記載のユーザ機器。
【請求項８】
ユーザ機器UEが指示情報に従ってデュアルセル高速アップリンク・パケット・アクセスDC−HSUPAの第2のキャリアをアクティブ化し、前記指示情報に従ってアップリンク専用物理制御チャネルDPCCHを周期的に送信するように、前記UEへ前記指示情報を送信するように構成された、送信部と、
前記DC−HSUPAの前記第2のキャリア上で前記UEによって周期的に送信されたアップリンクDPCCHを受信するように構成された、受信部と、
を含む、ネットワーク側デバイス。
【請求項９】
前記指示情報は、
無線リソース制御RRC構成情報であって、前記UE  DC−HSUPAの第2のキャリアの周波数チャネル番号を含み、もしくは、前記UE  DC−HSUPAの前記第2のキャリアの前記周波数チャネル番号およびアップリンク不連続送信DTXパラメータを含む、RRC構成情報、または、
ダウンリンク高速共有制御チャネルHS−SCCHコマンド、
を含む、請求項8に記載のネットワーク側デバイス。
【請求項１０】
前記指示情報は、
前記UEが前記アップリンクDPCCHを送信する時点、
をさらに含む、請求項8または9に記載のネットワーク側デバイス。
【請求項１１】
ネットワーク側デバイスによって送信された指示情報を受信するステップと、
前記指示情報に従ってデュアルセル高速アップリンク・パケット・アクセスDC−HSUPAの第2のキャリアをアクティブ化するステップと、
アップリンク不連続送信DTXパラメータを取得するステップと、
前記指示情報および前記アップリンクDTXパラメータに従って前記DC−HSUPAの前記第2のキャリア上でアップリンク専用物理制御チャネルDPCCHを周期的に送信するステップと、
を含む、DPCCHを送信するための方法。
【請求項１２】
前記指示情報は、
無線リソース制御RRC構成情報であって、ユーザ機器UE  DC−HSUPAの第2のキャリアの周波数チャネル番号を含み、もしくは、前記UE  DC−HSUPAの前記第2のキャリアの前記周波数チャネル番号および前記アップリンクDTXパラメータを含む、RRC構成情報、または、
ダウンリンク高速共有制御チャネルHS−SCCHコマンド、
を含む、請求項11に記載のDPCCHを送信するための方法。
【請求項１３】
前記指示情報および前記アップリンクDTXパラメータに従って前記DC−HSUPAの前記第2のキャリア上でアップリンクDPCCHを周期的に送信する前記ステップは、
前記指示情報が受信された時点の後で、前記アップリンクDTXパラメータによって指示される周期およびオフセットを用いて前記DC−HSUPAの前記第2のキャリア上でアップリンクDPCCHを周期的に送信するステップ、
を含む、請求項11または12に記載のDPCCHを送信するための方法。
【請求項１４】
前記指示情報は、前記UEが前記アップリンクDPCCHを送信する時点を含む、請求項11から13のいずれか一項に記載のDPCCHを送信するための方法。
【請求項１５】
前記指示情報および前記アップリンクDTXパラメータに従って前記DC−HSUPAの前記第2のキャリア上でアップリンクDPCCHを周期的に送信する前記ステップは、
前記指示情報に含まれる前記時点の後で、前記アップリンクDTXパラメータによって指示される前記周期および前記オフセットを用いて前記DC−HSUPAの前記第2のキャリア上でアップリンクDPCCHを周期的に送信するステップ、
を含む、請求項14に記載のDPCCHを送信するための方法。
【請求項１６】
前記指示情報および前記アップリンクDTXパラメータに従って前記DC−HSUPAの前記第2のキャリア上でアップリンクDPCCHを周期的に送信する前記ステップは、
前記UEのプライマリキャリアのダウンリンク専用チャネルが確立された後で、前記指示情報および前記アップリンクDTXパラメータに従って前記DC−HSUPAの前記第2のキャリア上でアップリンクDPCCHを周期的に送信するステップ、
または、
前記UEのプライマリキャリアのアップリンクDPCCHがRRCによって指定される時間にわたって連続して送信された後で、前記指示情報および前記アップリンクDTXパラメータに従って前記DC−HSUPAの前記第2のキャリア上でアップリンクDPCCHを周期的に送信するステップ、
を含む、請求項11から15のいずれか一項に記載のDPCCHを送信するための方法。
【請求項１７】
前記方法は、
アップリンクDPCCHが送信される時に対応するダウンリンクDPCCHまたは対応するダウンリンク部分専用物理チャネルF−DPCHを傍受するステップであって、前記ダウンリンクDPCCHまたは前記ダウンリンクF−DPCHは前記アップリンクDPCCHのための電力調整指示を含む、対応するダウンリンクDPCCHまたは対応するダウンリンク部分専用物理チャネルF−DPCHを傍受するステップと、
前記電力調整指示に従って前記アップリンクDPCCHの送信電力を調整するステップと、
をさらに含む、請求項11から16のいずれか一項に記載のDPCCHを送信するための方法。
【請求項１８】
ユーザ機器UEが指示情報に従ってデュアルセル高速アップリンク・パケット・アクセスDC−HSUPAの第2のキャリアをアクティブ化し、前記指示情報に従ってアップリンク専用物理制御チャネルDPCCHを周期的に送信するように、前記UEへ前記指示情報を送信するステップと、
前記DC−HSUPAの前記第2のキャリア上で前記UEによって周期的に送信されたアップリンクDPCCHを受信するステップと、
を含む、DPCCHを送信するための方法。
【請求項１９】
前記指示情報は、
無線リソース制御RRC構成情報であって、前記UE  DC−HSUPAの第2のキャリアの周波数チャネル番号を含み、もしくは、前記UE  DC−HSUPAの前記第2のキャリアの前記周波数チャネル番号およびアップリンク不連続送信DTXパラメータを含む、RRC構成情報、または、
ダウンリンク高速共有制御チャネルHS−SCCHコマンド、
を含む、請求項18に記載のDPCCHを送信するための方法。
【請求項２０】
前記指示情報は、
前記UEが前記アップリンクDPCCHを送信する時点、
をさらに含む、請求項18または19に記載のDPCCHを送信するための方法。
【発明の詳細な説明】
【技術分野】
【０００１】
本発明は通信の分野に関し、詳細には、ユーザ機器、ネットワーク側デバイス、およびDPCCHを送信するための方法に関する。
【背景技術】
【０００２】
ユニバーサル移動電話システム（Universal Mobile Telecommunications System、略称UMTS）は、第3世代パートナーシッププロジェクト（3rd Generation Partnership Project、略称3GPP）によって策定された第3世代無線通信規格の主流である。ますます高まるユーザの速度要件を満たすために、高速パケットアクセス（High−Speed Packet Access、略称HSPA）技術がUMTSへ導入され、スペクトル効率を改善するのに用いられており、HSPAは、Release5で導入された高速ダウンリンク・パケット・アクセス（High Speed Downlink Packet Access、略称HSDPA）と、Release6で導入された高速アップリンク・パケット・アクセス（High Speed Downlink Packet Access、略称HSUPA）とを含む。
【０００３】
3GPP  Release7では、連続パケット接続（continuous packet connectivity、略称CPC）機能が導入されており、この機能により、ユーザ機器（user equipment、略称UE）は、不連続送信（アップリンク専用物理制御チャネル（Dedicated Physical Control Channel、略称DPCCH）の不連続送信）、および不連続受信（ダウンリンク共有制御チャネル（Shared Control Channel for HS−DSCH、略称HS−SCCH）の不連続受信）を行うことができる。不連続送信（Discontinuous Transmission、略称DTX）はCPC機能の特徴の1つであり、すなわち、データが送信されないときには、アップリンクDPCCHの送信が停止され、これによりネットワーク側デバイスに対するアップリンク干渉を低減させることができ、UEの不連続送信期間に、電力制御およびリンク同期を維持するために、UEはDPCCHパルスを規則的に送信することができる。
【０００４】
3GPP  Release8では、デュアルセル高速ダウンリンク・パケット・アクセス（Dual Cell High Speed Downlink Packet Access、略称DC−HSDPA）機能が導入されており、UEは2つのダウンリンクキャリア上でデータを受信することができる。3GPP  Release9では、デュアルセル高速アップリンク・パケット・アクセス（Dual Cell High Speed Uplink Packet Access、略称DC−HSUPA）機能が導入されており、UEは2つのアップリンクキャリア上でデータを送信することができる。DC−HSUPAはDC−HSDPAに縛られており、すなわち、DC−HSUPAがUEのために構成されるときには、同時にDC−HSDPAもUEのために必ず構成される。
【０００５】
UEがDTXを用いて構成される場合、UEがDC−HSUPAを用いて構成されるときに、アップリンクおよびダウンリンクのプライマリキャリアおよび第2のキャリアを送信するための従来の方法については、図1を参照することができ、この方法は、ダウンリンク専用チャネルを確立し、同期させるステップと、ダウンリンク専用チャネルの確立が完了したときに、アクティブ化時間（activation time）にわたって待機した後で、UEが、アップリンク専用チャネル同期を行う期間にわたってDPCCHを連続して送信するステップと、UEが、ダウンリンク専用チャネルの確立および同期、ならびにアップリンク専用チャネルの同期を完了した後で、UEが、UE電力消費およびアップリンク干渉を低減させるように、構成済みのDTXパラメータに従ってDPCCHを不連続的に送信するステップと、を含む。
【０００６】
3GPP  Release12では、さらに拡張されたアップリンク拡張の機能を研究しており、その1つの技術は、アップリンクマルチキャリア送信が行われるときに高速データ送信がサポートされるというものであり、この技術は、データ送信時にネットワーク側デバイスが、UEがスケジュールされる第2のキャリア上で高い受信電力対熱雑音（Rise Over Thermal noise、略称ROT）を用いてUEをスケジュールすることによって実現される。アップリンクの第2のキャリア上での送信効率をさらに改善するために、この技術は、DTXを拡張してアップリンクの第2のキャリア上でのDPCCHの送信頻度を減らすことによって実現することができ、すなわち、データが送信されないときに、ネットワーク側デバイスがアップリンク同期および電力制御を維持するために、DPCCHは、DTXパラメータに従ってアップリンクの第2のキャリア上で周期的に、不連続的に送信される。
【０００７】
DTXを拡張することによってアップリンクの第2のキャリア上での送信効率をさらに改善するプロセスにおいては、UEをスケジュールするのに高RoTが用いられるため、UEのスケジューリングに対する別のUEの干渉が回避される必要がある。UEのアップリンクの第2のキャリア上でDPCCHを送信する従来の方法が用いられる場合、UEがDPCCHを送信する時がダウンリンク専用チャネルが、正常に確立された時に従って決定され、この時はネットワーク側デバイスには知られず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる。
【発明の概要】
【課題を解決するための手段】
【０００８】
本発明の実施形態は、ネットワーク側デバイスが、DPCCHが送信される時を知り、DPCCHが周期的に送信されることを実現するために、ユーザ機器、ネットワーク側デバイス、およびDPCCHを送信するための方法を提供する。
【０００９】
前述の目的を達成するために、本発明の実施形態は以下の技術的解決策を用いる。
【００１０】
第1の態様によれば、ユーザ機器が提供され、本ユーザ機器は、
ネットワーク側デバイスによって送信された指示情報を受信するように構成された、受信部と、
指示情報に従ってDC−HSUPAの第2のキャリアをアクティブ化するように構成された、アクティブ化部と、
アップリンクDTXパラメータを取得するように構成された、取得部と、
指示情報およびアップリンクDTXパラメータに従ってDC−HSUPAの第2のキャリア上でアップリンクDPCCHを周期的に送信するように構成された、送信部と、
を含む。
【００１１】
第1の態様に関連して、第1の態様の第1の可能な実施態様において、指示情報は、
無線リソース制御（Radio Resource Control、略称RRC）構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンク高速共有制御チャネル（High Speed Shared Control Channel、略称HS−SCCH）コマンド、
を含む。
【００１２】
第1の態様または第1の態様の第1の可能な実施態様に関連して、第1の態様の第2の可能な実施態様において、送信部は、
指示情報が受信された時点の後で、アップリンクDTXパラメータによって指示される周期およびオフセットを用いてDC−HSUPAの第2のキャリア上でアップリンクDPCCHを周期的に送信する、
ように特に構成されている。
【００１３】
第1の態様または第1の態様の第1の可能な実施態様または第1の態様の第2の可能な実施態様に関連して、第1の態様の第3の可能な実施態様において、指示情報は、UEがアップリンクDPCCHを送信する時点を含む。
【００１４】
第1の態様の第3の可能な実施態様に関連して、第1の態様の第4の可能な実施態様において、送信部は、
指示情報に含まれる時点の後で、アップリンクDTXパラメータによって指示される周期およびオフセットを用いてDC−HSUPAの第2のキャリア上でアップリンクDPCCHを周期的に送信する、
ように特に構成されている。
【００１５】
第1の態様または第1の態様の第1の可能な実施態様から第1の態様の第4の可能な実施態様のいずれか1つに関連して、第1の態様の第5の可能な実施態様において、送信部は、
UEのプライマリキャリアのダウンリンク専用チャネルが確立された後で、指示情報およびアップリンクDTXパラメータに従ってDC−HSUPAの第2のキャリア上でアップリンクDPCCHを周期的に送信し、
または、
UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHを周期的に送信する、
ように特に構成されている。
【００１６】
第1の態様または第1の態様の第1の可能な実施態様から第1の態様の第5の可能な実施態様のいずれか1つに関連して、第1の態様の第6の可能な実施態様において、ユーザ機器は、
アップリンクDPCCHが送信される時に対応するダウンリンクDPCCHまたは対応するダウンリンク部分専用物理チャネル（Fractional Dedicated Physical Channel、略称F−DPCH）を傍受するように構成された傍受部であって、ダウンリンクDPCCHまたはダウンリンクF−DPCHはアップリンクDPCCHのための電力調整指示を含む、傍受部と、
電力調整指示に従ってアップリンクDPCCHの送信電力を調整するように構成された、調整部と、
をさらに含む。
【００１７】
第2の態様によれば、ネットワーク側デバイスが提供され、本ネットワーク側デバイスは、
UEが指示情報に従ってDC−HSUPAの第2のキャリアをアクティブ化し、指示情報に従ってアップリンク専用物理制御チャネルDPCCHを周期的に送信するように、UEへ指示情報を送信するように構成された、送信部と、
DC−HSUPAの第2のキャリア上でUEによって周期的に送信されたアップリンクDPCCHを受信するように構成された、受信部と、
を含む。
【００１８】
第2の態様に関連して、第2の態様の第1の可能な実施態様において、指示情報は、
RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンクHS−SCCHコマンド、
を含む。
【００１９】
第2の態様または第2の態様の第1の可能な実施態様に関連して、第2の態様の第2の可能な実施態様において、指示情報は、UEがアップリンクDPCCHを送信する時点、をさらに含む。
【００２０】
第3の態様によれば、DPCCHを送信するための方法が提供され、本方法は、
ネットワーク側デバイスによって送信された指示情報を受信するステップと、
指示情報に従ってDC−HSUPAの第2のキャリアをアクティブ化するステップと、
アップリンクDTXパラメータを取得するステップと、
指示情報およびアップリンクDTXパラメータに従ってDC−HSUPAの第2のキャリア上でアップリンクDPCCHを周期的に送信するステップと、
を含む。
【００２１】
第3の態様に関連して、第3の態様の第1の可能な実施態様において、指示情報は、
RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンクHS−SCCHコマンド、
を含む。
【００２２】
第3の態様または第3の態様の第1の可能な実施態様に関連して、第3の態様の第2の可能な実施態様において、指示情報およびアップリンクDTXパラメータに従ってDC−HSUPAの第2のキャリア上でアップリンクDPCCHを周期的に送信するステップは、
指示情報が受信された時点の後で、アップリンクDTXパラメータによって指示される周期およびオフセットを用いてDC−HSUPAの第2のキャリア上でアップリンクDPCCHを周期的に送信するステップ、
を含む。
【００２３】
第3の態様または第3の態様の第1の可能な実施態様または第3の態様の第2の可能な実施態様に関連して、第3の態様の第3の可能な実施態様において、指示情報は、UEがアップリンクDPCCHを送信する時点を含む。
【００２４】
第3の態様の第3の可能な実施態様に関連して、第3の態様の第4の可能な実施態様において、指示情報およびアップリンクDTXパラメータに従ってDC−HSUPAの第2のキャリア上でアップリンクDPCCHを周期的に送信するステップは、
指示情報に含まれる時点の後で、アップリンクDTXパラメータによって指示される周期およびオフセットを用いてDC−HSUPAの第2のキャリア上でアップリンクDPCCHを周期的に送信するステップ、
を含む。
【００２５】
第3の態様または第3の態様の第1の可能な実施態様から第3の態様の第4の可能な実施態様のいずれか1つに関連して、第3の態様の第5の可能な実施態様において、指示情報およびアップリンクDTXパラメータに従ってDC−HSUPAの第2のキャリア上でアップリンクDPCCHを周期的に送信するステップは、
UEのプライマリキャリアのダウンリンク専用チャネルが確立された後で、指示情報およびアップリンクDTXパラメータに従ってDC−HSUPAの第2のキャリア上でアップリンクDPCCHを周期的に送信するステップ、
または、
UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHを周期的に送信するステップ、
を含む。
【００２６】
第3の態様または第3の態様の第1の可能な実施態様から第3の態様の第5の可能な実施態様のいずれか1つに関連して、第3の態様の第6の可能な実施態様において、本方法は、
アップリンクDPCCHが送信される時に対応するダウンリンクDPCCHまたは対応するダウンリンクF−DPCHを傍受するステップであって、ダウンリンクDPCCHまたはダウンリンクF−DPCHはアップリンクDPCCHのための電力調整指示を含む、対応するダウンリンクDPCCHまたは対応するダウンリンクF−DPCHを傍受するステップと、
電力調整指示に従ってアップリンクDPCCHの送信電力を調整するステップと、
をさらに含む。
【００２７】
第4の態様によれば、DPCCHを送信するための方法が提供され、本方法は、
UEが指示情報に従ってDC−HSUPAの第2のキャリアをアクティブ化し、指示情報に従ってアップリンク専用物理制御チャネルDPCCHを周期的に送信するように、UEへ指示情報を送信するステップと、
DC−HSUPAの第2のキャリア上でUEによって周期的に送信されたアップリンクDPCCHを受信するステップと、
を含む。
【００２８】
第4の態様に関連して、第4の態様の第1の可能な実施態様において、指示情報は、
RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンクHS−SCCHコマンド、
を含む。
【００２９】
第4の態様または第4の態様の第1の可能な実施態様に関連して、第4の態様の第2の可能な実施態様において、指示情報は、UEがアップリンクDPCCHを送信する時点、をさらに含む。
【００３０】
第5の態様によれば、ユーザ機器が提供され、本ユーザ機器は、
ネットワーク側デバイスによって送信された指示情報を受信するように構成された、受信機と、
指示情報に従ってDC−HSUPAの第2のキャリアをアクティブ化するように構成されたプロセッサであって、アップリンクDTXパラメータを取得するようにさらに構成されている、プロセッサと、
指示情報およびアップリンクDTXパラメータに従ってDC−HSUPAの第2のキャリア上でアップリンクDPCCHを周期的に送信するように構成された、送信機と、
を含む。
【００３１】
第5の態様に関連して、第5の態様の第1の可能な実施態様において、指示情報は、
RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンクHS−SCCHコマンド、
を含む。
【００３２】
第5の態様または第5の態様の第1の可能な実施態様に関連して、第5の態様の第2の可能な実施態様において、送信機は、
指示情報が受信された時点の後で、アップリンクDTXパラメータによって指示される周期およびオフセットを用いてDC−HSUPAの第2のキャリア上でアップリンクDPCCHを周期的に送信する、
ように特に構成されている。
【００３３】
第5の態様または第5の態様の第1の可能な実施態様または第5の態様の第2の可能な実施態様に関連して、第5の態様の第3の可能な実施態様において、指示情報は、UEがアップリンクDPCCHを送信する時点を含む。
【００３４】
第5の態様の第3の可能な実施態様に関連して、第5の態様の第4の可能な実施態様において、送信機は、
指示情報に含まれる時点の後で、アップリンクDTXパラメータによって指示される周期およびオフセットを用いてDC−HSUPAの第2のキャリア上でアップリンクDPCCHを周期的に送信する、
ように特に構成されている。
【００３５】
第5の態様または第5の態様の第1の可能な実施態様から第5の態様の第4の可能な実施態様のいずれか1つに関連して、第5の態様の第5の可能な実施態様において、送信機は、
UEのプライマリキャリアのダウンリンク専用チャネルが確立された後で、指示情報およびアップリンクDTXパラメータに従ってDC−HSUPAの第2のキャリア上でアップリンクDPCCHを周期的に送信し、
または、
UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHを周期的に送信する、
ように特に構成されている。
【００３６】
第5の態様または第5の態様の第1の可能な実施態様から第5の態様の第5の可能な実施態様のいずれか1つに関連して、第5の態様の第6の可能な実施態様において、プロセッサは、
アップリンクDPCCHが送信される時に、アップリンクDPCCHのための電力調整指示を含む、対応するダウンリンクDPCCHまたは対応するダウンリンクF−DPCHを傍受し、
電力調整指示に従ってアップリンクDPCCHの送信電力を調整する、
ようにさらに構成されている。
【００３７】
第6の態様によれば、ネットワーク側デバイスが提供され、本ネットワーク側デバイスは、
UEが指示情報に従ってDC−HSUPAの第2のキャリアをアクティブ化し、指示情報に従ってアップリンク専用物理制御チャネルDPCCHを周期的に送信するように、UEへ指示情報を送信するように構成された、送信機と、
DC−HSUPAの第2のキャリア上でUEによって周期的に送信されたアップリンクDPCCHを受信するように構成された、受信機と、
を含む。
【００３８】
第6の態様に関連して、第6の態様の第1の可能な実施態様において、指示情報は、
RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含む、RRC構成情報、または、
ダウンリンク高速共有制御チャネルHS−SCCHコマンド、
を含む。
【００３９】
第6の態様または第6の態様の第1の可能な実施態様に関連して、第6の態様の第2の可能な実施態様において、指示情報は、UEがアップリンクDPCCHを送信する時点、をさらに含む。
【００４０】
本発明は、ユーザ機器、ネットワーク側デバイス、およびDPCCHを送信するための方法を提供する。ネットワーク側デバイスによって送信された指示情報が受信され、指示情報に従ってDC−HSUPAの第2のキャリアがアクティブ化され、アップリンクDTXパラメータが取得され、指示情報およびアップリンクDTXパラメータに従ってDC−HSUPAの第2のキャリア上でアップリンクDPCCHが周期的に送信され、そのため、ネットワーク側デバイスが、DPCCHが送信される時を知り、DPCCHが指示情報に従って周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【００４１】
本発明の実施形態における、または先行技術における技術的解決策をより明確に説明するために、以下で、各実施形態または先行技術を説明するのに必要とされる添付の図面について簡単に記述する。明らかに、以下の説明における添付の図面は単に本発明のいくつかの実施形態を示すにすぎず、当業者は、これら添付の図面から難なく他の図面をさらに導出することができる。
【図面の簡単な説明】
【００４２】
【図１】先行技術におけるDPCCHを送信するための従来の方法のシナリオの概略図である。
【図２】本発明の一実施形態によるユーザ機器の概略的構造図である。
【図３】本発明の一実施形態による別のユーザ機器の概略的構造図である。
【図４】本発明の一実施形態によるネットワーク側デバイスの概略的構造図である。
【図５】本発明の一実施形態によるDPCCHを送信するための方法の概略的流れ図である。
【図６】本発明の一実施形態によるDPCCHを送信するための別の方法の概略的流れ図である。
【図７】本発明の一実施形態によるDPCCHが送信される時のシナリオの概略図である。
【図８】本発明の一実施形態によるDPCCHを送信するための別の方法の概略的流れ図である。
【図９】本発明の一実施形態による別のユーザ機器の概略的構造図である。
【図１０】本発明の一実施形態による別のネットワーク側デバイスの概略的構造図である。
【発明を実施するための形態】
【００４３】
以下で、本発明の実施形態における添付の図面に関連して、本発明の実施形態における技術的解決策を明確に説明する。明らかに、説明される実施形態は本発明の実施形態の全部ではなく一部にすぎない。本発明の実施形態に基づいて当業者によって難なく得られる他のすべての実施形態は、本発明の保護範囲内に含まれるものとする。
【００４４】
本発明の実施形態で提供される技術的解決策は、モバイル通信用グローバルシステム（global System for mobile communication、略称GSM(登録商標)）システム、符号分割多元接続（code division multiple Access、略称CDMA）システム、広帯域符号分割多元接続（wideband code division multiple access、略称WCDMA(登録商標)）システム、UMTSシステム、汎用パケット無線サービス（general packet radio service、略称GPRS）システム、ロング・ターム・エボルーション（long term evolution、略称LTE）システム、ロング・ターム・エボルーション・アドバンスト（long term evolution advanced、略称LTE−A）システム、マイクロ波アクセスのための世界規模の相互運用（worldwide interoperability for microwave access、略称WiMAX）システム、といった様々な無線通信ネットワークに適用することができる。「ネットワーク」および「システム」という用語は区別なく用いることができる。
【００４５】
本発明の実施形態において、ネットワーク側デバイスは、UEや、中継器サイトといった他の通信サイトと通信するデバイスとすることができ、ネットワーク側デバイスは特定の物理領域の通信カバレッジを提供することができる。例えば、ネットワーク側デバイスは具体的には、GSM(登録商標)もしくはCDMAにおける基地局（Base Transceiver Station、略称BTS）もしくは基地局コントローラ（Base Station Controller、略称BSC）とすることもでき、または、UMTSにおけるノードB（Node B、略称NB）もしくはUMTSにおける無線ネットワーク制御装置（Radio Network Controller、略称RNC）とすることもでき、または、さらに、LTEにおける進化型ノードB（Evolutional Node B、略称ENBもしくはe基地局）とすることもでき、または、無線通信ネットワークにおいてアクセスサービスを提供する別のアクセス・ネットワーク・デバイスとすることもでき、これについて本発明では限定されない。
【００４６】
DPCCHを送信する従来の方法で、DTXがUEのために構成される場合に、DC−HSUPAがUEのために構成されているときに、アップリンクおよびダウンリンクのプライマリキャリアおよび第2のキャリアのDPCCHを送信するための方法については、図1を参照すると、この方法は、ダウンリンクアンカ／第2のキャリア上でUEが、ダウンリンク専用チャネルの確立および同期を達成するように、ネットワーク側デバイスによって連続して送信されたDPCCHまたはF−DPCHを受信するステップと、UEが、ダウンリンク専用チャネルの確立を完了したときに、UEが、アップリンク専用チャネル同期を達成するように、アクティブ化時間（activation time）によって指示される期間にわたって待機した後の遅延使用可能（Enabling＿Delay）無線フレームの間に、DPCCHを連続して送信するステップであって、アクティブ化時間は上位層通知であり、または0であり、遅延使用可能化は上位層通知である、UEが、DPCCHを連続して送信するステップと、UEが、ダウンリンク専用チャネルの確立および同期、ならびにアップリンク専用チャネルの同期を完了した後で、UEが、構成済みのDTXパラメータに従ってDPCCHを不連続的に送信するステップと、を含む。
【００４７】
実施形態1
本発明の実施形態1はユーザ機器20を提供する。図2を参照すると、ユーザ機器20は、
ネットワーク側デバイスによって送信された指示情報を受信するように構成された受信部201であって、
ネットワーク側デバイスは無線ネットワーク制御装置（Radio Network Controller、略称RNC）または基地局とすることができる、受信部201と、
指示情報に従ってDC−HSUPAの第2のキャリアをアクティブ化するように構成された、アクティブ化部202と、
アップリンクDTXパラメータを取得するように構成された、取得部203と、
指示情報およびアップリンクDTXパラメータに従ってDC−HSUPAの第2のキャリア上でアップリンクDPCCHを周期的に送信するように構成された、送信部204と、
を含むことができる。
【００４８】
指示情報は以下の情報のうちのいずれか1つを含むことができる。
1．RRC構成情報であって、UE  DC−HSUPAの第2のキャリアの周波数チャネル番号を含むことができ、もしくは、UE  DC−HSUPAの第2のキャリアの周波数チャネル番号およびアップリンクDTXパラメータを含む、RRC構成情報、
受信部201によって受信された指示情報がRRC構成情報を含むときに、アクティブ化部202は、指示情報に従ってUE  DC−HSUPAの第2のキャリアの周波数チャネル番号を構成し、アクティブ化する。
2．ダウンリンクHS−SCCHコマンド、
受信部201によって受信された指示情報がダウンリンクHS−SCCHコマンドを含むときに、アクティブ化部202は、指示情報に従ってUE  DC−HSUPAの第2のキャリアの構成済みの周波数チャネル番号をアクティブ化する。
【００４９】
指示情報は、UE  DC−HSUPAの第2のキャリアの構成済みの周波数チャネル番号をアクティブ化するのに用いられるダウンリンクHS−SCCHコマンドを含むことができるのみならず、UE  DC−HSUPAの第2のキャリアの構成済みの周波数チャネル番号をアクティブ化するのに用いられる他の物理層アクティブ化シグナリングも含むことができ、これについては本発明のすべての実施形態において特に限定されないことに留意すべきである。
【００５０】
具体的には、取得部203は、指示情報に含まれる内容に従って以下の4つの方法のうちのいずれか1つを特に用いることができる。
【００５１】
第1の方法：指示情報がRRC構成情報を含み、RRC構成情報がUE  DC−HSUPAの第2のキャリアの周波数チャネル番号を含みうるときに、取得部203は、指示情報以外の他のRRC構成情報からアップリンクDTXパラメータを取得する。
【００５２】
第2の方法：指示情報がRRC構成情報を含み、RRC構成情報がUE  DC−HSUPAの第2のキャリアの周波数チャネル番号を含みうるときに、取得部203は、プライマリキャリアのアップリンクDTXパラメータを保持することによってアップリンクDTXパラメータを取得する。
【００５３】
第3の方法：指示情報がRRC構成情報を含み、RRC構成情報がUE  DC−HSUPAの第2のキャリアの周波数チャネル番号およびアップリンクDTXパラメータを含むときに、取得部203は、指示情報からアップリンクDTXパラメータを取得する。
【００５４】
第4の方法：指示情報がダウンリンクHS−SCCHコマンドを含むときに、取得部203は、構成済み、アクティブ化済みのアップリンクDTXパラメータを直接取得する。
【００５５】
当然ながら、指示情報がダウンリンクHS−SCCHコマンドを含み、取得部203が構成済み、アクティブ化済みのアップリンクDTXパラメータを直接取得しないとき、これは、UEがアップリンクの第2のキャリア上でDTXモードで構成されていないことを指示し、したがって、本発明は、DPCCHがUEのアップリンクの第2のキャリア上で連続して送信され、またはDPCCHがアップリンクの第2のキャリア上で周期的に送信されない場合を含まない。
【００５６】
取得部203がアップリンクDTXを取得する方法は、それだけに限らないが、前述の4つの方法を含むことができ、これについては本発明のすべての実施形態において特に限定されないことに留意すべきである。
【００５７】
さらに、アップリンクDPCCHの送信を、異なるネットワーク構成による指示情報によって指示することができ、指示情報に従った送信部204によるアップリンクDPCCHの送信は、以下の2つの方法を特に含むことができる。
【００５８】
第1の方法：指示情報が受信された時点の後で、アップリンクDTXパラメータによって指示される周期およびオフセットを用いてDC−HSUPAの第2のキャリア上でアップリンクDPCCHが周期的に送信される。
【００５９】
指示情報が受信された時点の後は、指示情報が受信された時点で直ちに、とすることもでき、または、指示情報が受信された時点に既定の時間を加えることによって得られる時点の後とすることもでき、指示情報が受信された時点の後の具体的定義および既定の時間はどちらも実際の要件に従って決定することができ、これについては本発明のすべての実施形態において特に限定されないことに留意すべきである。
【００６０】
ネットワークが、UEは指示情報を受信したときに直ちにアップリンクDPCCHを送信すると構成するときに、UEは、指示情報が受信された時点から、アップリンクDTXパラメータによって指示される周期およびオフセットを用いてDC−HSUPAの第2のキャリア上でアップリンクDPCCHを周期的に送信し始める。
【００６１】
ネットワークが、UEは指示情報の受信および既定の時間Tの後でアップリンクDPCCHを送信すると構成するときに、UEは、指示情報が受信された時点および期間Tにわたる待機の後で、アップリンクDTXパラメータによって指示される周期およびオフセットを用いてDC−HSUPAの第2のキャリア上でアップリンクDPCCHを周期的に送信する。
【００６２】
第2の方法：指示情報が、UEがアップリンクDPCCHを送信する時点を含むときに、指示情報に含まれる時点の後で、アップリンクDTXパラメータによって指示される周期およびオフセットを用いてDC−HSUPAの第2のキャリア上でアップリンクDPCCHが周期的に送信される。
【００６３】
ネットワーク取り決めにおいて、UEが指示情報によって指示される時点でアップリンクDPCCHを送信することが合意されており、指示情報が、UEがアップリンクDPCCHを送信する時点を含むときに、UEは、指示情報に含まれる時点の後で、アップリンクDTXパラメータによって指示される周期およびオフセットを用いてDC−HSUPAの第2のキャリア上でアップリンクDPCCHを周期的に送信する。
【００６４】
アップリンクDTXパラメータは周期およびオフセットを含むことができ、周期は、アップリンクDPCCHが周期的に送信される時間間隔を指示するのに用いられ、オフセットは、第1のアップリンクDPCCHが送信される開示時を指示するのに用いられ、例えば、アップリンクDTXパラメータが周期40ms、およびオフセット10msを含むものと仮定すると、アップリンクDPCCHは、10ms、50ms、90ms、以下同様の各時点で周期的に送信される。
【００６５】
アップリンクDTXパラメータに含まれる周期は異なる長さを有する複数の周期とすることができ、例えば、アップリンクDTXパラメータは第1の周期および第2の周期を含み、第1の周期＜第2の周期であり、アップリンクDTXパラメータに従ってアップリンクDPCCHが送信されるときに、アップリンクDPCCHは、最小の長さを有する第1の周期に従ってまず送信され、アップリンクDPCCHが第1の周期を用いて送信されたときに、統計テストによる非アクティブ閾値以内にアップリンクデータ送信が行われない場合、第2の周期を用いてアップリンクDPCCHが送信される。
【００６６】
アップリンクDTXパラメータに含まれる内容、内容の特定の値、および非アクティブ閾値の幅はすべて、実際の要件に従って決定することができ、これについて本発明の本実施形態では特に限定されないことに留意すべきである。
【００６７】
任意選択で、指示情報は、UEがアップリンクDPCCHを送信する時点をさらに含むこともできる。
【００６８】
さらに、UEが指示情報を受信したときに、UEがアップリンク・プライマリ・キャリア上で同期を完了していない場合、送信部204は、
UEのプライマリキャリアのダウンリンク専用チャネルが確立された後で、指示情報およびアップリンクDTXパラメータに従ってDC−HSUPAの第2のキャリア上でアップリンクDPCCHを周期的に送信し、
または、
UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHを周期的に送信する、
ようにさらに特に構成することができる。
【００６９】
さらに、図3を参照すると、ユーザ機器20は、
アップリンクDPCCHが送信される時に対応するダウンリンクDPCCHまたは対応するダウンリンクF−DPCHを傍受するように構成された傍受部205であって、ダウンリンクDPCCHまたはダウンリンクF−DPCHはアップリンクDPCCHのための電力調整指示を含み、
アップリンクDPCCHのための電力調整指示はネットワーク側デバイスによって決定、配信され、例えば、UEが第1の時にアップリンクDPCCHを送信する電力が−11dBmであり、アップリンクDPCCHを受信した後で、ネットワーク側デバイスは電力−11dBmを利用可能な閾値（−10）dBmと比較し、アップリンクDPCCHの送信電力が小さく、増大される必要があると決定するものと仮定すると、アップリンクDPCCHの電力調整指示「増大する」がダウンリンクDPCCHまたはダウンリンクF−DPCHを用いて配信され、UEは、アップリンクDPCCHの電力調整指示「増大する」を、対応するダウンリンクDPCCHまたは対応するダウンリンクF−DPCHを傍受することによって取得する、傍受部205と、
電力調整指示に従ってアップリンクDPCCHの送信電力を調整するように構成された、調整部206であって、
例えば、UEは電力調整指示「増大する」に従ってアップリンクDPCCHの送信電力をXだけ増大し、Xはネットワーク取り決めにおいて合意された調整量であり、Xの具体的な値は本発明では限定されず、実際の要件に従って決定することができる、調整部206と、
をさらに含むことができる。
【００７０】
本発明の本実施形態は、ユーザ機器20を提供し、本ユーザ機器20は、ネットワーク側デバイスによって送信された指示情報を受信し、指示情報に従ってDC−HSUPAの第2のキャリアをアクティブ化し、アップリンクDTXパラメータを取得し、指示情報およびアップリンクDTXパラメータに従ってDC−HSUPAの第2のキャリア上でアップリンクDPCCHを周期的に送信し、そのため、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【００７１】
実施形態2
本発明の実施形態2はネットワーク側デバイス40を提供する。図4を参照すると、ネットワーク側デバイス40は、
UEが指示情報に従ってDC−HSUPAの第2のキャリアをアクティブ化し、UEが指示情報に従ってアップリンクDPCCHを周期的に送信するように、UEへ指示情報を送信するように構成された、送信部401と、
DC−HSUPAの第2のキャリア上でUEによって周期的に送信されたアップリンクDPCCHを受信するように構成された、受信部402と、
を含む。
【００７２】
任意選択で、ネットワーク側デバイス40はRNCまたは基地局とすることもでき、これは本発明では特に限定されない。
【００７３】
指示情報は、以下の2つのタイプの情報のうちのどちらか1つを含むことができる。
【００７４】
第1のタイプの情報：RRC構成情報であって、UE  DC−HSUPAの第2のキャリアの周波数チャネル番号を含み、もしくは、UE  DC−HSUPAの第2のキャリアの周波数チャネル番号およびアップリンク不連続送信DTXパラメータを含む、RRC構成情報、
識別情報がRRC構成情報を含み、RRC構成情報がUE  DC−HSUPAの第2のキャリアの周波数チャネル番号を含むときに、指示情報は、UEに、UE  DC−HSUPAの第2のキャリアの周波数チャネル番号を構成し、アクティブ化するよう命令するのに用いられ、
指示情報がRRC構成情報を含み、RRC構成情報がUE  DC−HSUPAの第2のキャリアの周波数チャネル番号およびアップリンクDTXパラメータを含むときに、指示情報は、UEに、UE  DC−HSUPAの第2のキャリアの周波数チャネル番号およびアップリンクDTXパラメータを構成し、アクティブ化するよう命令するのに用いられる。
【００７５】
第2のタイプの情報：ダウンリンクHS−SCCHコマンド、
指示情報がダウンリンクHS−SCCHコマンドを含むときに、指示情報は、UEに、DC−HSUPAの第2のキャリアの構成済みの周波数チャネル番号をアクティブ化するよう命令するのに用いられる。
【００７６】
指示情報に含まれる具体的な内容は実際の要件に従って決定することができ、指示情報に含まれる内容は本発明では特に限定されないことに留意すべきである。
【００７７】
任意選択で、指示情報は、
UEがアップリンクDPCCHを送信する時点であって、UEがアップリンクDPCCHを送信する時を指示するのに用いられる時点、
をさらに含むことができる。
【００７８】
本発明はネットワーク側デバイス40を提供し、本ネットワーク側デバイス40は、UEがDC−HSUPAの第2のキャリアをアクティブ化するように、UEへ指示情報を送信し、したがって、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【００７９】
実施形態3
本発明の実施形態3はDPCCHを送信するための方法を提供する。図5を参照すると、本方法は以下のステップを含むことができる。
【００８０】
501．ネットワーク側デバイスによって送信された指示情報を受信する。
【００８１】
指示情報は、以下のタイプの情報のうちのどちらか1つを含むことができる。
【００８２】
1．RRC構成情報であって、UE  DC−HSUPAの第2のキャリアの周波数チャネル番号を含むことができ、もしくは、UE  DC−HSUPAの第2のキャリアの周波数チャネル番号およびアップリンクDTXパラメータを含むことができる、RRC構成情報。
【００８３】
2．ダウンリンクHS−SCCHコマンド。
【００８４】
指示情報は、UE  DC−HSUPAの第2のキャリアの構成済みの周波数チャネル番号をアクティブ化するのに用いられるダウンリンクHS−SCCHコマンドを含むことができるのみならず、UE  DC−HSUPAの第2のキャリアの構成済みの周波数チャネル番号をアクティブ化するのに用いられる他の物理層アクティブ化シグナリングも含むことができ、これについては本発明のすべての実施形態において特に限定されないことに留意すべきである。
【００８５】
502．指示情報に従ってDC−HSUPAの第2のキャリアをアクティブ化する。
【００８６】
指示情報に含まれる異なる内容に従って、DC−HSUPAの第2のキャリアをアクティブ化する以下の2つの方法を含むことができる。
【００８７】
第1の方法：指示情報がRRC構成情報を含むときに、UE  DC−HSUPAの第2のキャリアの周波数チャネル番号は、指示情報に従って構成され、アクティブ化される。
【００８８】
第2の方法：指示情報がダウンリンクHS−SCCHコマンドを含むときに、UE  DC−HSUPAの第2のキャリアの構成済みの周波数チャネル番号は指示情報に従ってアクティブ化される。
【００８９】
503．アップリンクDTXパラメータを取得する。
【００９０】
指示情報に含まれる内容に従って、アップリンクDTXパラメータを、以下の4つの方法のうちのいずれか1つで特に取得することができる。
【００９１】
第1の方法：指示情報がRRC構成情報を含み、RRC構成情報がUE  DC−HSUPAの第2のキャリアの周波数チャネル番号を含みうるときに、アップリンクDTXパラメータは、指示情報に含まれるRRC構成情報を除く他のRRC構成情報から取得される。
【００９２】
第2の方法：指示情報がRRC構成情報を含み、RRC構成情報がUE  DC−HSUPAの第2のキャリアの周波数チャネル番号のみを含むときに、アップリンクDTXパラメータは、プライマリキャリアのアップリンクDTXパラメータを引き続き用いることによって取得される。
【００９３】
第3の方法：指示情報がRRC構成情報を含み、RRC構成情報がUE  DC−HSUPAの第2のキャリアの周波数チャネル番号およびアップリンクDTXパラメータを含みうるときに、アップリンクDTXパラメータは指示情報から取得される。
【００９４】
第4の方法：指示情報がダウンリンクHS−SCCHコマンドを含むときに、構成済み、アクティブ化済みのアップリンクDTXパラメータが直接取得される。
【００９５】
当然ながら、指示情報がダウンリンクHS−SCCHコマンドを含み、構成済み、アクティブ化済みのアップリンクDTXパラメータが取得されないとき、これは、UEがアップリンクの第2のキャリア上でDTXモードで構成されていないことを指示し、したがって、本発明は、DPCCHがUEのアップリンクの第2のキャリア上で連続して送信され、またはDPCCHがアップリンクの第2のキャリア上で周期的に送信されない場合を含まない。
【００９６】
アップリンクDTXを取得する方法は、それだけに限らないが、前述の4つの方法を含むことができ、これについては本発明のすべての実施形態において特に限定されないことに留意すべきである。
【００９７】
504．指示情報およびアップリンクDTXパラメータに従ってDC−HSUPAの第2のキャリア上でアップリンクDPCCHを周期的に送信する。
【００９８】
アップリンクDPCCHの送信を、異なるネットワーク取り決めによる指示情報によって指示することができ、指示情報に従ったアップリンクDPCCHの送信は、以下の2つの方法を特に含むことができる。
【００９９】
第1の方法：指示情報が受信された時点の後で、アップリンクDTXパラメータによって指示される周期およびオフセットを用いてDC−HSUPAの第2のキャリア上でアップリンクDPCCHが周期的に送信される。
【０１００】
指示情報が受信された時点の後は、指示情報が受信された時点で直ちに、とすることもでき、または、指示情報が受信された時点に既定の時間を加えることによって得られる時点の後とすることもでき、指示情報が受信された時点の後の具体的定義および既定の時間はどちらも実際の要件に従って決定することができ、これについては本発明のすべての実施形態において特に限定されないことに留意すべきである。
【０１０１】
ネットワーク取り決めにおいて、UEは指示情報を受信したときに直ちにアップリンクDPCCHを送信することが合意されているときに、UEは、指示情報が受信された時点から、アップリンクDTXパラメータによって指示される周期およびオフセットを用いてDC−HSUPAの第2のキャリア上でアップリンクDPCCHを周期的に送信し始める。
【０１０２】
ネットワーク取り決めにおいて、UEは指示情報の受信および既定の時間Tの後でアップリンクDPCCHを送信することが合意されているときに、UEは、指示情報が受信された時点および期間Tにわたる待機の後で、アップリンクDTXパラメータによって指示される周期およびオフセットを用いてDC−HSUPAの第2のキャリア上でアップリンクDPCCHを周期的に送信する。
【０１０３】
第2の方法：指示情報が、UEがアップリンクDPCCHを送信する時点を含むときに、指示情報に含まれる時点の後で、アップリンクDTXパラメータによって指示される周期およびオフセットを用いてDC−HSUPAの第2のキャリア上でアップリンクDPCCHが周期的に送信される。
【０１０４】
ネットワーク取り決めにおいて、UEが指示情報によって指示される時点でアップリンクDPCCHを送信することが合意されており、指示情報が、UEがアップリンクDPCCHを送信する時点を含むときに、UEは、指示情報に含まれる時点の後で、アップリンクDTXパラメータによって指示される周期およびオフセットを用いてDC−HSUPAの第2のキャリア上でアップリンクDPCCHを周期的に送信する。
【０１０５】
アップリンクDTXパラメータは周期およびオフセットを含むことができ、周期は、アップリンクDPCCHが周期的に送信される時間間隔を指示するのに用いられ、オフセットは、第1のアップリンクDPCCHが送信される開始時を指示するのに用いられ、例えば、アップリンクDTXパラメータが周期40ms、およびオフセット10msを含むものと仮定すると、アップリンクDPCCHは、10ms、50ms、90ms、以下同様の各時点で周期的に送信される。
【０１０６】
アップリンクDTXパラメータに含まれる周期は異なる長さを有する複数の周期とすることができ、例えば、アップリンクDTXパラメータは第1の周期および第2の周期を含み、第1の周期＜第2の周期であり、アップリンクDTXパラメータに従ってアップリンクDPCCHが送信されるときに、アップリンクDPCCHは、最小の長さを有する第1の周期に従ってまず送信され、アップリンクDPCCHが第1の周期を用いて送信されたときに、統計テストによる非アクティブ閾値以内にアップリンクデータ送信が行われない場合、第2の周期を用いてアップリンクDPCCHが送信される。
【０１０７】
アップリンクDTXパラメータに含まれる内容、内容の特定の値、および非アクティブ閾値の幅はすべて、実際の要件に従って決定することができ、これについて本発明の本実施形態では特に限定されないことに留意すべきである。
【０１０８】
さらに、UEが指示情報を受信したときに、UEがアップリンク・プライマリ・キャリア上で同期を完了していない場合には、以下の2つの方法のどちらか1つで指示情報およびアップリンクDTXパラメータに従ってDC−HSUPAの第2のキャリア上でアップリンクDPCCHを周期的送信することができる。
【０１０９】
第1の方法：UEのプライマリキャリアのダウンリンク専用チャネルが確立された後で、指示情報およびアップリンクDTXパラメータに従ってDC−HSUPAの第2のキャリア上でアップリンクDPCCHが周期的に送信される。
【０１１０】
第2の方法：UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHが周期的に送信される。
【０１１１】
さらに、本方法は、
アップリンクDPCCHが送信される時に対応するダウンリンクDPCCHまたは対応するダウンリンク部分専用物理チャネルF−DPCHを傍受するステップであって、ダウンリンクDPCCHまたはダウンリンクF−DPCHはアップリンクDPCCHのための電力調整指示を含む、対応するダウンリンクDPCCHまたは対応するダウンリンクF−DPCHを傍受するステップと、
電力調整指示に従ってアップリンクDPCCHの送信電力を調整するステップと、
をさらに含むことができる。
【０１１２】
アップリンクDPCCHの送信電力を調整するプロセスについて、詳細は実施形態1ですでに述べてあり、ここでは繰り返さないことに留意すべきである。
【０１１３】
本発明の本実施形態はDPCCHを送信するための方法を提供する。ネットワーク側デバイスによって送信された指示情報が受信され、指示情報に従ってDC−HSUPAの第2のキャリアがアクティブ化され、アップリンクDTXパラメータが取得され、指示情報およびアップリンクDTXパラメータに従ってDC−HSUPAの第2のキャリア上でアップリンクDPCCHが周期的に送信され、そのため、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【０１１４】
実施形態4
本発明の実施形態4はDPCCHを送信するための別の方法を提供する。図5に示すDPCCHを送信するための方法を、UEが指示情報を受信するときに、UEのアップリンク・プライマリ・キャリア上で同期がまだ完了していない例を用いて詳細に説明する。
【０１１５】
UEはDC−HSDPAモードで動作し、周波数チャネル番号が個々にダウンリンクf1、ダウンリンクf2、およびアップリンクf1であるものと仮定する。図6を参照すると、本方法は以下のステップを含むことができる。
【０１１６】
601．UEは、ネットワーク側デバイスによって送信された指示情報を受信する。
【０１１７】
指示情報はRRC構成情報を含むことができ、RRC構成情報はUE  DC−HSUPAの第2のキャリアの周波数チャネル番号およびアップリンクDTXパラメータを含む。
【０１１８】
RRC構成情報に含まれるUE  DC−HSUPAの第2のキャリアの周波数チャネル番号はf2であり、RRC構成情報に含まれるアップリンクDTXパラメータは、第1の周期（8ms）、第2の周期（16ms）、およびオフセット（6）であるものと仮定する。
【０１１９】
602．UEは、指示情報に従ってDC−HSUPAの第2のキャリアをアクティブ化する。
【０１２０】
例えば、UEは、指示情報に従ってUE  DC−HSUPAの第2のキャリアの周波数チャネル番号f2を構成し、アクティブ化する。
【０１２１】
603．UEはアップリンクDTXパラメータを取得する。
【０１２２】
指示情報がアップリンクDTXパラメータを含む場合、UEは、指示情報に含まれる内容に従って指示情報からアップリンクDTXパラメータを直接取得することができる。
【０１２３】
例えば、UEは、指示情報から、アップリンクDTXパラメータ、すなわち、第1の周期（8ms）、第2の周期（16ms）、およびオフセット（6）を取得する。
【０１２４】
604．UEはプライマリキャリア上で同期プロセスを行う。
【０１２５】
UEは、図1に示す方法でプライマリキャリアf1上で同期プロセスを行うことができる。
【０１２６】
605．UEのプライマリキャリアのダウンリンク専用チャネルが確立された後で、UEは、指示情報が受信された時点の後で、指示情報およびアップリンクDTXパラメータに従ってDC−HSUPAの第2のキャリアf2上でアップリンクDPCCHを周期的に送信する。
【０１２７】
DPCCHはE−DCH  TTI  2msにおいてアクティブ化されるものと仮定する。図7を参照すると、UEのアップリンクDPCCHが送信される時が例示されている。
【０１２８】
606．アップリンクDPCCHが送信される時に対応するダウンリンクDPCCHまたは対応するダウンリンクF−DPCHを傍受する。
【０１２９】
ダウンリンクDPCCHまたはダウンリンクF−DPCHは、アップリンクDPCCHのための電力調整指示を含む。
【０１３０】
607．電力調整指示に従ってアップリンクDPCCHの送信電力を調整する。
【０１３１】
アップリンクDPCCHの送信電力を調整するプロセスについて、詳細は実施形態1ですでに述べてあり、ここでは繰り返さないことに留意すべきである。
【０１３２】
本発明の本実施形態はDPCCHを送信するための方法を提供する。ネットワーク側デバイスによって送信された指示情報が受信され、指示情報に従ってDC−HSUPAの第2のキャリアがアクティブ化され、アップリンクDTXパラメータが取得され、UEがプライマリキャリア上で同期プロセスを行い、指示情報およびアップリンクDTXパラメータに従ってDC−HSUPAの第2のキャリア上でアップリンクDPCCHが周期的に送信され、そのため、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【０１３３】
実施形態5
本発明の実施形態5はDPCCHを送信するための方法を提供する。図8を参照すると、本方法は以下を含むことができる。
【０１３４】
801．ネットワーク側デバイスが、UEが指示情報に従ってDC−HSUPAの第2のキャリアをアクティブ化し、指示情報に従ってアップリンクDPCCHを周期的に送信するように、UEへ指示情報を送信する。
【０１３５】
ネットワーク側デバイスはRNCまたは基地局とすることができ、その場合、指示情報はRNCによって送信されても、基地局によって送信されてもよく、ネットワーク側デバイスのタイプは本発明では特に限定されない。
【０１３６】
指示情報は、以下の2つのタイプの情報のうちのどちらか1つを含むことができる。
【０１３７】
第1のタイプの情報：RRC構成情報であって、UE  DC−HSUPAの第2のキャリアの周波数チャネル番号を含み、もしくは、UE  DC−HSUPAの第2のキャリアの周波数チャネル番号およびアップリンクDTXパラメータを含みうる、RRC構成情報、
識別情報がRRC構成情報を含み、RRC構成情報がUE  DC−HSUPAの第2のキャリアの周波数チャネル番号を含むときに、指示情報は、UEに、UE  DC−HSUPAの第2のキャリアの周波数チャネル番号を構成し、アクティブ化するよう命令するのに用いられ、
指示情報がRRC構成情報を含み、RRC構成情報がUE  DC−HSUPAの第2のキャリアの周波数チャネル番号およびアップリンクDTXパラメータを含むときに、指示情報は、UEに、UE  DC−HSUPAの第2のキャリアの周波数チャネル番号およびアップリンクDTXパラメータを構成し、アクティブ化するよう命令するのに用いられる。
【０１３８】
第2のタイプの情報：ダウンリンクHS−SCCHコマンド、
指示情報がダウンリンクHS−SCCHコマンドを含むときに、指示情報は、UEに、DC−HSUPAの第2のキャリアの構成済みの周波数チャネル番号をアクティブ化するよう命令するのに用いられる。
【０１３９】
指示情報に含まれる具体的な内容は実際の要件に従って決定することができ、指示情報に含まれる内容は本発明では特に限定されないことに留意すべきである。
【０１４０】
任意選択で、指示情報は、
UEがアップリンクDPCCHを送信する時点であって、UEがアップリンクDPCCHを送信する時を指示するのに用いられる時点、
をさらに含むことができる。
【０１４１】
802．ネットワーク側デバイスは、DC−HSUPAの第2のキャリア上でUEによって周期的に送信されたアップリンクDPCCHを受信する。
【０１４２】
本発明はDPCCHを送信するための方法を提供する。UEが指示情報に従ってDC−HSUPAの第2のキャリアをアクティブ化し、指示情報に従ってアップリンクDPCCHを周期的に送信するように、指示情報がUEへ送信され、したがって、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【０１４３】
実施形態6
本発明の実施形態6は、実施形態3および実施形態4で説明したDPCCHを送信するための方法を実施するように構成された、ユーザ機器20を提供する。図9を参照すると、ユーザ機器20は、
少なくとも1つのプロセッサ901と、メモリ902と、プロセッサ901とメモリ902と図示されていない他のモジュールとの間の接続および相互通信を実施するように構成された、少なくとも1つの通信バス903と、受信機904と、送信機905と、
を含むことができる。
【０１４４】
通信バス903は、産業標準アーキテクチャ（Industry Standard Architecture、略称ISA）バス、周辺装置相互接続（Peripheral Component、略称PCI）バス、拡張産業標準アーキテクチャ（Extended Industry Standard Architecture、略称EISA）バスなどとすることができる。通信バス903は、アドレスバス、データバス、制御バスなどに分類することができる。表示を容易にするために、図9では表示に1本の太線だけを用いているが、1つのバスだけ、または1種類のバスだけしかないことを表示するものではない。
【０１４５】
メモリ902は、ランダム・アクセス・メモリを含むことができ、プロセッサ901のための命令およびデータを提供する。メモリ902の一部は、不揮発性ランダム・アクセス・メモリ（NVRAM）をさらに含むことができる。メモリ902は、分散ロック管理プロセスにおいて分散ロック管理デバイスに含まれるすべての情報を記憶するように構成することができる。
【０１４６】
プロセッサ901は、中央処理装置（Central Processing Unit、略称CPU）とすることができ、または、特定用途向け集積回路（Application Specific Integrated Circuit、略称ASIC）であり、または、本発明の実施形態の1つもしくは複数の集積回路を実施するように構成されている。
【０１４７】
受信機904および送信機905はUEのアンテナとすることができる。
【０１４８】
受信機904は、ネットワーク側デバイスによって送信された指示情報を受信するように構成されており、
プロセッサ901は、指示情報に従ってDC−HSUPAの第2のキャリアをアクティブ化するように構成されており、
プロセッサ901は、アップリンクDTXパラメータを取得するようにさらに構成することができ、
送信機905は、指示情報およびアップリンクDTXパラメータに従ってDC−HSUPAの第2のキャリア上でアップリンクDPCCHを周期的に送信するように構成されている。
【０１４９】
任意選択で、指示情報は、
RRC構成情報であって、UE  DC−HSUPAの第2のキャリアの周波数チャネル番号を含むことができ、もしくは、UE  DC−HSUPAの第2のキャリアの周波数チャネル番号およびアップリンクDTXパラメータを含むことができる、RRC構成情報、または
ダウンリンクHS−SCCHコマンド、
を含むこともできる。
【０１５０】
さらに、送信機905は、
指示情報が受信された時点の後で、アップリンクDTXパラメータによって指示される周期およびオフセットを用いてDC−HSUPAの第2のキャリア上でアップリンクDPCCHを周期的に送信する、
ように特に構成することができる。
【０１５１】
指示情報の時点後の動作の説明については、詳細は実施形態1で説明されており、ここでは繰り返さない。
【０１５２】
任意選択で、指示情報は、UEがアップリンクDPCCHを送信する時点を含むこともできる。
【０１５３】
さらに、送信機905は、
指示情報に含まれる時点の後で、アップリンクDTXパラメータによって指示される周期およびオフセットを用いてDC−HSUPAの第2のキャリア上でアップリンクDPCCHを周期的に送信する、
ように特に構成することもできる。
【０１５４】
任意選択で、送信機905は、
UEのプライマリキャリアのダウンリンク専用チャネルが確立された後で、指示情報およびアップリンクDTXパラメータに従ってDC−HSUPAの第2のキャリア上でアップリンクDPCCHを周期的に送信し、
または、
UEのプライマリキャリアのアップリンクDPCCHがRRCによって指定される時間にわたって連続して送信された後で、指示情報およびアップリンクDTXパラメータに従ってDC−HSUPAの第2のキャリア上でアップリンクDPCCHを周期的に送信する、
ように特に構成することもできる。
【０１５５】
さらに、プロセッサ901は、
アップリンクDPCCHが送信される時に、アップリンクDPCCHのための電力調整指示を含む、対応するダウンリンクDPCCHまたは対応するダウンリンクF−DPCHを傍受し、
電力調整指示に従ってアップリンクDPCCHの送信電力を調整する、
ようにさらに構成することができる。
【０１５６】
本発明の本実施形態は、ユーザ機器20を提供し、本ユーザ機器20は、ネットワーク側デバイスによって送信された指示情報を受信し、指示情報に従ってDC−HSUPAの第2のキャリアをアクティブ化し、アップリンクDTXパラメータを取得し、指示情報およびアップリンクDTXパラメータに従ってDC−HSUPAの第2のキャリア上でアップリンクDPCCHを周期的に送信し、そのため、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【０１５７】
実施形態7
本発明の実施形態6は、実施形態5で説明したPDCCHを送信するための方法を実施するように構成された、ネットワーク側デバイス40を提供する。図10を参照すると、ネットワーク側デバイス40は、
少なくとも1つのプロセッサ1001と、メモリ1002と、プロセッサ1001とメモリ1002と図示されていない他のモジュールとの間の接続および相互通信を実施するように構成された、少なくとも1つの通信バス1003と、送信機1004と、受信機1005と、
を含むことができる。
【０１５８】
通信バス1003は、産業標準アーキテクチャ（Industry Standard Architecture、略称ISA）バス、周辺装置相互接続（Peripheral Component Interconnect、略称PCI）バス、拡張産業標準アーキテクチャ（Extended Industry Standard Architecture、略称EISA）バスなどとすることができる。通信バス1003は、アドレスバス、データバス、制御バスなどに分類することができる。指示を容易にするために、図10では指示に1本の太線だけを用いているが、1つのバスだけ、または1種類のバスだけがあることを指示するものではない。
【０１５９】
メモリ1002は、ランダム・アクセス・メモリを含むことができ、プロセッサ1001のための命令およびデータを提供する。メモリ1002の一部は、不揮発性ランダム・アクセス・メモリ（NVRAM）をさらに含むことができる。メモリ1002は、分散ロック管理プロセスにおいて分散ロック管理デバイスに含まれるすべての情報を記憶するように構成することができる。
【０１６０】
プロセッサ1001は、中央処理装置（略称CPU）とすることができ、または、特定用途向け集積回路（略称ASIC）であり、または、本発明の実施形態の1つもしくは複数の集積回路を実施するように構成されている。
【０１６１】
送信機1004および受信機1005はネットワーク側デバイスのアンテナとすることができる。
【０１６２】
送信機1004は、UEが指示情報に従ってDC−HSUPAの第2のキャリアをアクティブ化し、指示情報に従ってアップリンクDPCCHを周期的に送信するように、UEへ指示情報を送信するように構成されている。
【０１６３】
受信機1005は、DC−HSUPAの第2のキャリア上でUEによって周期的に送信されたアップリンクDPCCHを受信するように構成されている。
【０１６４】
任意選択で、指示情報は、
RRC構成情報であって、UE  DC−HSUPAの第2のキャリアの周波数チャネル番号を含むことができ、もしくは、UE  DC−HSUPAの第2のキャリアの周波数チャネル番号およびアップリンクDTXパラメータを含むことができる、RRC構成情報、または
ダウンリンクHS−SCCHコマンド、
を含むこともできる。
【０１６５】
任意選択で、指示情報は、
UEがアップリンクDPCCHを送信する時点
をさらに含むこともできる。
【０１６６】
本発明はネットワーク側デバイス40を提供し、本ネットワーク側デバイス40は、UEが指示情報に従ってDC−HSUPAの第2のキャリアをアクティブ化し、指示情報に従ってアップリンクDPCCHを周期的に送信するように、UEへ指示情報を送信し、したがって、ネットワーク側デバイスが、DPCCHが送信される時を知り、DPCCHが周期的に送信されることが実現され、それによって、ネットワーク側デバイスが、DPCCHが送信される時を知らず、ダウンリンク専用チャネルが確立された後で、UEはアップリンク専用チャネル同期のための期間にわたってDPCCHを連続して送信し、ネットワーク側デバイスが高RoTを用いて別のUEをスケジュールすることが難しくなる、という先行技術の欠点が解決される。
【０１６７】
説明を簡便にするために、前述のシステム、装置、およびユニットの詳細な作動プロセスについては、前述の方法実施形態における対応するプロセスを参照することができることを当業者は明確に理解することができ、本明細書では詳細を繰り返さない。
【０１６８】
本出願において提供されるいくつかの実施形態においては、開示のシステム、装置、および方法を他のやり方で実現することもできることを理解すべきである。例えば、説明された装置実施形態は単なる例示にすぎない。例えば、ユニット分割は単なる論理的機能分割にすぎず、実際の実装に際しては他の分割も可能である。例えば、複数のユニットまたはコンポーネントが組み合わされ、または統合されて別のシステムになる場合もあり、ある機能が無視され、または実行されない場合もある。加えて、表示された、または論じられた相互結合または直接結合または通信接続を、いくつかのインターフェースを介して実現することもできる。装置間またはユニット間の間接結合または通信接続は、電子的形態、または他の形態として実現することができる。
【０１６９】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０１７０】
加えて、本発明の各実施形態における機能ユニットが1つの処理ユニットへ統合される場合もあり、ユニットの各々が物理的に独立して存在する場合もあり、または2つ以上のユニットが1つのユニットへ統合される。統合ユニットはハードウェアの形態で実現することもでき、ソフトウェア機能ユニットにハードウェアを加えた形態で実現することもできる。
【０１７１】
前述の統合ユニットがソフトウェア機能ユニットの形態で実現される場合に、その統合ユニットはコンピュータ可読記憶媒体に記憶することができる。ソフトウェア機能ユニットは記憶媒体に記憶されており、（パーソナルコンピュータ、サーバ、またはネットワークデバイスとすることができる）コンピュータデバイスに、本発明の各実施形態で記述されている方法のステップの一部を実行するよう命令するためのいくつかの命令を含む。前述の記憶媒体は、USBフラッシュドライブ、取り外し可能ハードディスク、読取り専用メモリ（Read−Only Memory、ROM）、ランダム・アクセス・メモリ（Random Access Memory、RAM）、磁気ディスク、光ディスクといった、プログラムコードを記憶することができる任意の媒体を含む。
【０１７２】
最後に、前述の実施形態は単に、本発明を限定するためではなく、本発明の技術的解決策を説明するためのものにすぎないことに留意すべきである。本発明は前述の実施形態に関連して詳細に説明されているが、当業者は、本発明の実施形態の技術的解決策の趣旨および範囲を逸脱することなく、前述の実施形態で記述されている技術的解決策にさらに改変を加え、あるいは、前述の実施形態の一部の技術的特徴に対する等価の置換を行うことができることを理解するはずである。
【符号の説明】
【０１７３】
20  ユーザ機器
40  ネットワーク側デバイス
201  受信部
202  アクティブ化部
203  取得部
204  送信部
205  傍受部
206  調整部
401  送信部
402  受信部
901  プロセッサ
902  メモリ
903  通信バス
904  受信機
905  送信機
1001  プロセッサ
1002  メモリ
1003  通信バス
1004  送信機
1005  受信機
【図１】
2017511051.tif 000003
【図２】
2017511051.tif 000004
【図３】
2017511051.tif 000005
【図４】
2017511051.tif 000006
【図５】
2017511051.tif 000007
【図６】
2017511051.tif 000008
【図７】
2017511051.tif 000009
【図８】
2017511051.tif 000010
【図９】
2017511051.tif 000011
【図１０】
2017511051.tif 000012
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ネットワーク側デバイスによって送信された指示情報を受信するように構成された、受信部と、
前記指示情報に従って、デュアルセル高速アップリンク・パケット・アクセス（DC−HSUPA）の第2のキャリアをアクティブ化するように構成された、アクティブ化部と、
アップリンク不連続送信（DTX）パラメータを取得するように構成された、取得部と、
前記指示情報および前記アップリンクDTXパラメータに従って前記DC−HSUPAの前記第2のキャリア上でアップリンク専用物理制御チャネル（DPCCH）を周期的に送信するように構成された、送信部と、
を含む、ユーザ機器。
【請求項２】
前記送信部は、
前記指示情報が受信された時点で、前記指示情報および前記アップリンクDTXパラメータに従って前記DC-HSUPAの前記第2のキャリア上で前記DPCCHを直ちに送信する、
ように構成されている、請求項1に記載のユーザ機器。
【請求項３】
前記送信部は、
前記指示情報が受信された時点および既定の時間にわたる待機の後で、前記指示情報および前記アップリンクDTXパラメータに従って前記DC-HSUPAの前記第2のキャリア上で前記DPCCHを送信する、
ように構成されている、請求項1に記載のユーザ機器。
【請求項４】
前記指示情報は、
ダウンリンク高速共有制御チャネル（HS−SCCH）コマンド、
を含む、請求項1から3のいずれか一項に記載のユーザ機器。
【請求項５】
前記送信部は、
前記指示情報が受信された時点の後で、前記アップリンクDTXパラメータによって指示される周期およびオフセットを用いて前記DC−HSUPAの前記第2のキャリア上でアップリンクDPCCHを周期的に送信する、
ように特に構成されている、請求項1から4のいずれか一項に記載のユーザ機器。
【請求項６】
ユーザ機器（UE）へ指示情報を送信するように構成された送信部であって、前記指示情報は、前記UEがDC-HSUPAの第2のキャリアをアクティブ化し、DPCCHを周期的に送信することを指示する、送信部と、
前記DC-HSUPAの前記第2のキャリア上で前記UEによって周期的に送信されたアップリンクDPCCHを受信するように構成された、受信部と、
を含む、ネットワーク側デバイス。
【請求項７】
前記指示情報は、前記UEが、前記指示情報が受信された時点で、前記指示情報および前記アップリンクDTXパラメータに従って前記DC-HSUPAの前記第2のキャリア上で前記DPCCHを直ちに送信することを指示する、請求項6に記載のネットワーク側デバイス。
【請求項８】
前記指示情報は、前記UEが、前記指示情報が受信された時点および既定の時間にわたる待機の後で、前記指示情報および前記アップリンクDTXパラメータに従って前記DC-HSUPAの前記第2のキャリア上で前記DPCCHを送信することを指示する、請求項6に記載のネットワーク側デバイス。
【請求項９】
前記指示情報は、
ダウンリンクHS-SCCHコマンド、
を含む、請求項6から8のいずれか一項に記載のネットワーク側デバイス。
【請求項１０】
UEが、ネットワーク側デバイスによって送信された指示情報を受信するステップと、
前記UEが、前記指示情報に従ってDC-HSUPAの第2のキャリアをアクティブ化するステップと、
前記UEが、アップリンクDTXパラメータを取得するステップと、
前記UEが、前記指示情報および前記アップリンクDTXパラメータに従って前記DC-HSUPAの前記第2のキャリア上でDPCCHを周期的に送信するステップと、
を含む、DPCCHを送信するための方法。
【請求項１１】
前記DC-HSUPAの前記第2のキャリア上で前記アップリンクDPCCHを周期的に送信するステップは、
前記指示情報が受信された時点で、前記指示情報および前記アップリンクDTXパラメータに従って前記DC-HSUPAの前記第2のキャリア上で前記DPCCHを直ちに送信するステップを含む、請求項10に記載の方法。
【請求項１２】
前記DC-HSUPAの前記第2のキャリア上で前記アップリンクDPCCHを周期的に送信するステップは、
前記指示情報が受信された時点および既定の時間にわたる待機の後で、前記指示情報および前記アップリンクDTXパラメータに従って前記DC-HSUPAの前記第2のキャリア上で前記DPCCHを送信するステップを含む、請求項10に記載の方法。
【請求項１３】
前記指示情報は、
ダウンリンクHS−SCCHコマンド、
を含む、請求項10から12のいずれか一項に記載の方法。
【請求項１４】
前記指示情報および前記アップリンクDTXパラメータに従って前記DC−HSUPAの前記第2のキャリア上でアップリンクDPCCHを周期的に送信する前記ステップは、
前記指示情報が受信された時点の後で、前記アップリンクDTXパラメータによって指示される周期およびオフセットを用いて前記DC−HSUPAの前記第2のキャリア上でアップリンクDPCCHを周期的に送信するステップ、
を含む、請求項11から13のいずれか一項に記載の方法。
【請求項１５】
UEへ指示情報を送信するステップであって、前記指示情報は、前記UEがデュアルセル高速アップリンク・パケット・アクセスDC-HSUPAの第2のキャリアをアクティブ化し、アップリンク専用物理制御チャネルDPCCHを周期的に送信することを指示する、UEへ指示情報を送信するステップと、
前記DC-HSUPAの前記第2のキャリア上で前記UEによって周期的に送信されたアップリンクDPCCHを受信するステップと、
を含む、DPCCHを送信するための方法。
【請求項１６】
前記指示情報は、前記UEが、前記指示情報が受信された時点で、前記指示情報および前記アップリンクDTXパラメータに従って前記DC-HSUPAの前記第2のキャリア上で前記DPCCHを直ちに送信することを指示する、請求項15に記載の方法。
【請求項１７】
前記指示情報は、前記UEが、前記指示情報が受信された時点および既定の時間にわたる待機の後で、前記指示情報および前記アップリンクDTXパラメータに従って前記DC-HSUPAの前記第2のキャリア上で前記DPCCHを送信することを指示する、請求項15に記載の方法。
【請求項１８】
前記指示情報は、
ダウンリンクHS−SCCHコマンド、
を含む、請求項15から17のいずれか一項に記載の方法。
【手続補正２】
【補正対象書類名】明細書
【補正対象項目名】０００２
【補正方法】変更
【補正の内容】
【０００２】
ユニバーサル移動電話システム（Universal Mobile Telecommunications System、略称UMTS）は、第3世代パートナーシッププロジェクト（3rd Generation Partnership Project、略称3GPP）によって策定された第3世代無線通信規格の主流である。ますます高まるユーザの速度要件を満たすために、高速パケットアクセス（High−Speed Packet Access、略称HSPA）技術がUMTSへ導入され、スペクトル効率を改善するのに用いられており、HSPAは、Release5で導入された高速ダウンリンク・パケット・アクセス（High Speed Downlink Packet Access、略称HSDPA）と、Release6で導入された高速アップリンク・パケット・アクセス（High Speed Uplink Packet Access、略称HSUPA）とを含む。
【手続補正３】
【補正対象書類名】明細書
【補正対象項目名】０１１４
【補正方法】変更
【補正の内容】
【０１１４】
実施形態4
本発明の実施形態4はDPCCHを送信するための別の方法を提供する。図6に示すDPCCHを送信するための方法を、UEが指示情報を受信するときに、UEのアップリンク・プライマリ・キャリア上で同期がまだ完了していない例を用いて詳細に説明する。
【手続補正４】
【補正対象書類名】明細書
【補正対象項目名】０１４４
【補正方法】変更
【補正の内容】
【０１４４】
通信バス903は、産業標準アーキテクチャ（Industry Standard Architecture、略称ISA）バス、周辺装置相互接続（Peripheral Component Interconnect、略称PCI）バス、拡張産業標準アーキテクチャ（Extended Industry Standard Architecture、略称EISA）バスなどとすることができる。通信バス903は、アドレスバス、データバス、制御バスなどに分類することができる。表示を容易にするために、図9では表示に1本の太線だけを用いているが、1つのバスだけ、または1種類のバスだけしかないことを表示するものではない。
【手続補正５】
【補正対象書類名】明細書
【補正対象項目名】０１５７
【補正方法】変更
【補正の内容】
【０１５７】
実施形態7
本発明の実施形態7は、実施形態5で説明したDPCCHを送信するための方法を実施するように構成された、ネットワーク側デバイス40を提供する。図10を参照すると、ネットワーク側デバイス40は、
少なくとも1つのプロセッサ1001と、メモリ1002と、プロセッサ1001とメモリ1002と図示されていない他のモジュールとの間の接続および相互通信を実施するように構成された、少なくとも1つの通信バス1003と、送信機1004と、受信機1005と、
を含むことができる。
【国際調査報告】
2017511051.tif 000013
2017511051.tif 000014
2017511051.tif 000015
2017511051.tif 000016
2017511051.tif 000017
2017511051.tif 000018